(57)【要約】  栽培計画生成装置（１００）は、栽培対象の作物と、栽培対象の作物の目標販売時期および目標販売額との指定を受け付ける。栽培計画生成装置（１００）は、栽培対象の作物の生育期間に基づいて、指定された目標販売時期の収穫を可能とする作物の作付け時期を特定する。栽培計画生成装置（１００）は、栽培対象の作物の単位量当たりの販売額に基づいて、指定された目標販売額の収穫を可能とする作物の作付け量に関する指標を特定する。栽培計画生成装置（１００）は、特定した作物の作付け時期と作物の作付け量に関する指標とを出力する。
2015173875.tif 000002
【特許請求の範囲】
【請求項１】
コンピュータが、
栽培対象の作物と、前記作物の目標販売時期及び目標販売額との指定を受け付け、
前記作物の生育期間に基づいて、指定された前記目標販売時期の収穫を可能とする作物の作付け時期を特定するとともに、前記作物の単位量当たりの販売額に基づいて、指定された前記目標販売額の収穫を可能とする作物の作付け量に関する指標を特定し、
特定した前記作付け時期と前記作物の作付け量に関する指標とを出力する、
処理を実行することを特徴とする栽培計画生成方法。
【請求項２】
前記コンピュータが、
前記栽培対象の作物の作型の指定を更に受け付ける処理を実行し、
前記作物の生育期間は、指定された該作型に応じて異なる長さであることを特徴とする請求項１に記載の栽培計画生成方法。
【請求項３】
前記作付け量に関する指標は、前記作物に対応付けられた歩留まりに基づいて算出されることを特徴とする請求項１または２に記載の栽培計画生成方法。
【請求項４】
前記作付け量に関する指標は、前記作物の作型に対応付けられた歩留まりに基づいて算出されることを特徴とする請求項１または２に記載の栽培計画生成方法。
【請求項５】
前記作付け量に関する指標は、前記作物を栽培する圃場のサイズ、又は、前記作物の作付け量であることを特徴とする請求項１〜４のいずれか一つに記載の栽培計画生成方法。
【請求項６】
前記コンピュータが、
更に、前記作物の作付け先の圃場のリストを表示し、
前記圃場のリストのうち、特定の圃場について前記指標に応じた前記作物の作付け先としての選択を受け付け、
該選択の受け付け後、前記圃場のリストのうち、前記特定の圃場を、更に選択することを許容しつつ、かつ、前記作物の作付け先の圃場として未選択の他の圃場と異なる表示態様とする、
処理を実行することを特徴とする請求項１〜５のいずれか一つに記載の栽培計画生成方法。
【請求項７】
前記コンピュータが、
前記作物の作付け先として選択された圃場のサイズ又は選択された圃場に応じた作付け量を累積して得られる累積サイズ又は作付け量の表示を、前記作物の作付け先の圃場の選択に応じて更新する、
処理を実行することを特徴とする請求項６に記載の栽培計画生成方法。
【請求項８】
コンピュータが、
作物の作付け先の圃場のリストを表示し、
前記圃場のリストのうち、特定の圃場について前記作物の作付け量に関する指標に応じた前記作物の作付け先としての選択を受け付け、
該選択の受け付け後、前記圃場のリストのうち、前記特定の圃場を、更に選択することを許容しつつ、かつ、前記作物の作付け先の圃場として未選択の他の圃場と異なる表示態様とする、
処理を実行することを特徴とする栽培計画生成方法。
【請求項９】
栽培対象の作物と、前記作物の目標販売時期及び目標販売額との指定を受け付け、前記作物の生育期間に基づいて、指定された前記目標販売時期の収穫を可能とする作物の作付け時期を特定するとともに、前記作物の単位量当たりの販売額に基づいて、指定された前記目標販売額の収穫を可能とする作物の作付け量に関する指標を特定し、特定した前記作付け時期と前記作物の作付け量に関する指標とを出力する制御部、
を有することを特徴とする栽培計画生成装置。
【請求項１０】
作物の作付け先の圃場のリストを表示し、前記圃場のリストのうち、特定の圃場について前記作物の作付け量に関する指標に応じた前記作物の作付け先としての選択を受け付け、該選択の受け付け後、前記圃場のリストのうち、前記特定の圃場を、更に選択することを許容しつつ、かつ、前記作物の作付け先の圃場として未選択の他の圃場と異なる表示態様とする制御部、
を有することを特徴とする栽培計画生成装置。
【請求項１１】
コンピュータに、
栽培対象の作物と、前記作物の目標販売時期及び目標販売額との指定を受け付け、
前記作物の生育期間に基づいて、指定された前記目標販売時期の収穫を可能とする作物の作付け時期を特定するとともに、前記作物の単位量当たりの販売額に基づいて、指定された前記目標販売額の収穫を可能とする作物の作付け量に関する指標を特定し、
特定した前記作付け時期と前記作物の作付け量に関する指標とを出力する、
処理を実行させることを特徴とする栽培計画生成プログラム。
【請求項１２】
コンピュータに、
作物の作付け先の圃場のリストを表示し、
前記圃場のリストのうち、特定の圃場について前記作物の作付け量に関する指標に応じた前記作物の作付け先としての選択を受け付け、
該選択の受け付け後、前記圃場のリストのうち、前記特定の圃場を、更に選択することを許容しつつ、かつ、前記作物の作付け先の圃場として未選択の他の圃場と異なる表示態様とする、
処理を実行させることを特徴とする栽培計画生成プログラム。
【発明の詳細な説明】
【技術分野】
【０００１】
本発明は、栽培計画生成方法、栽培計画生成装置、および栽培計画生成プログラムに関する。
【背景技術】
【０００２】
農業経営において、人件費、資材費、設備投資費用などの資金を確保するために、どの時期にどれくらいの収入を得る必要があるのかを把握することは重要である。【０００３】
関連する先行技術としては、例えば、栽培の作業内容を履歴として管理する手段、作業内容が栽培基準を満たしているかを判定する手段、基準計画を立てる際の支援を行う手段、および、生産履歴等を管理する手段を備えるものがある。また、農作業日誌データ、農業経費データおよび農業経営データをデータベース化し、データベースを参照して、農作物別に作業労力を算出したり経費を算出したり売上を算出する各種シミュレーションを行う技術がある。
【先行技術文献】
【特許文献】
【０００４】
【特許文献１】特開２００６−０１１５６２号公報
【特許文献２】特開２０１０−２５７３５３号公報
【発明の概要】
【発明が解決しようとする課題】
【０００５】
しかしながら、従来技術では、ある時期にある額の収入を得るための作物の栽培計画を立案することが困難である。【０００６】
一つの側面では、本発明は、目標販売時期に目標販売額を得るための作物の栽培計画の立案作業を支援する栽培計画生成方法、栽培計画生成装置、および栽培計画生成プログラムを提供することを目的とする。
【課題を解決するための手段】
【０００７】
本発明の一側面によれば、栽培対象の作物と、前記作物の目標販売時期及び目標販売額との指定を受け付け、前記作物の生育期間に基づいて、指定された前記目標販売時期の収穫を可能とする作物の作付け時期を特定するとともに、前記作物の単位量当たりの販売額に基づいて、指定された前記目標販売額の収穫を可能とする作物の作付け量に関する指標を特定し、特定した前記作付け時期と前記作物の作付け量に関する指標とを出力する栽培計画生成方法、栽培計画生成装置、および栽培計画生成プログラムが提案される。【０００８】
また、本発明の一側面によれば、作物の作付け先の圃場のリストを表示し、前記圃場のリストのうち、特定の圃場について前記作物の作付け量に関する指標に応じた前記作物の作付け先としての選択を受け付け、該選択の受け付け後、前記圃場のリストのうち、前記特定の圃場を、更に選択することを許容しつつ、かつ、前記作物の作付け先の圃場として未選択の他の圃場と異なる表示態様とする栽培計画生成方法、栽培計画生成装置、および栽培計画生成プログラムが提案される。
【発明の効果】
【０００９】
本発明の一態様によれば、目標販売時期に目標販売額を得るための作物の栽培計画の立案作業を支援することができるという効果を奏する。
【図面の簡単な説明】
【００１０】
【図１】図１は、実施の形態にかかる栽培計画生成方法の一実施例を示す説明図である。
【図２】図２は、農業支援システム２００のシステム構成例を示す説明図である。
【図３】図３は、栽培計画生成装置１００のハードウェア構成例を示すブロック図である。
【図４】図４は、クライアント装置２０１のハードウェア構成例を示すブロック図である。
【図５】図５は、栽培計画ＤＢ２２０の記憶内容の一例を示す説明図である。
【図６】図６は、作物マスタ２３０の記憶内容の一例を示す説明図である。
【図７】図７は、販売目標入力画面の画面例を示す説明図である。
【図８】図８は、栽培計画生成装置１００の機能的構成例を示すブロック図である。
【図９】図９は、収穫目標画面の画面例を示す説明図である。
【図１０】図１０は、作付計画画面の画面例を示す説明図である。
【図１１】図１１は、作付計画画面のポップアップ表示例を示す説明図である。
【図１２】図１２は、圃場選択画面の画面例を示す説明図である。
【図１３】図１３は、栽培対象の作物の作付け先となる圃場の選択例を示す説明図（その１）である。
【図１４】図１４は、栽培対象の作物の作付け先となる圃場の選択例を示す説明図（その２）である。
【図１５】図１５は、栽培対象の作物の作付け先となる圃場の選択例を示す説明図（その３）である。
【図１６】図１６は、栽培計画生成装置１００の栽培計画生成処理手順の一例を示すフローチャートである。
【図１７】図１７は、栽培計画生成装置１００の圃場選択処理手順の一例を示すフローチャートである。
【発明を実施するための形態】
【００１１】
以下に図面を参照して、本発明にかかる栽培計画生成方法、栽培計画生成装置、および栽培計画生成プログラムの実施の形態を詳細に説明する。
【００１２】
（栽培計画生成方法の一実施例）
図１は、実施の形態にかかる栽培計画生成方法の一実施例を示す説明図である。図１において、栽培計画生成装置１００は、作物の栽培計画の立案作業を支援するコンピュータである。ここで、作物とは、農業活動によって生産される物であり、例えば、大分類として穀類、野菜、果物、花卉などがある。それぞれの分類の例として、大根、じゃがいも、キャベツ、みかん、カーネーションなどの品目がある。栽培計画とは、栽培対象となる作物を、どの時期にどれくらい作付けするのかの計画である。
【００１３】
農業経営において、人件費、資材費などの資金を確保するために、どの時期にどれくらいの収入を得る必要があるのかを把握し、ある時期にある額の収入を得るための栽培計画を立案することがある。ところが、作物の収穫量は天候などの外部要因により変化し、また、作物の販売単価も納品時期などにより大きく変動することがある。このため、これまでは作業者の経験や勘を頼りに栽培計画の立案を行っており、熟練度の低い作業者にとっては、ある時期にある額の収入を得るための栽培計画を立案することは困難である。
【００１４】
そこで、本実施の形態では、目標販売時期に目標販売額を得るための作物の栽培計画の立案作業を支援する栽培計画生成方法について説明する。以下、栽培計画生成装置１００の栽培計画生成処理例について説明する。
【００１５】
（１）栽培計画生成装置１００は、栽培対象の作物と、栽培対象の作物の目標販売時期および目標販売額との指定を受け付ける。栽培対象の作物の指定は、例えば、作物の品目、品種、作型のうちの少なくとも品目、または、品目および作型の組み合わせを指定することにより行われる。品目は、作物の種類である。品目としては、例えば、キャベツ、大根、トマト、水稲などがある。
【００１６】
品種は、同一品目の中の種類である。例えば、キャベツの品種として、「中早生２号」「中早生３号」「秋早生」「新風」などがある。作型は、作物の栽培を行うときの条件や技術の組み合わせを示す体系である。作型としては、例えば、春どり、夏どり、秋どり、冬どりなどがある。
【００１７】
目標販売時期とは、作物を収穫して販売する目標時期である。目標販売時期として、例えば、日付が指定されてもよく、また、ある月の上旬、中旬、下旬といった期間が指定されてもよい。目標販売額は、作物を販売して得る目標額である。目標販売額として、例えば、金銭の量が指定される。
【００１８】
図１の例では、「２０××年○月△日」頃に「１００万円」の収入を得るために「キャベツ」の栽培計画を立案する場合を想定する。この場合、例えば、栽培対象の作物として「キャベツ」が指定され、目標販売時期として「２０××年○月△日」が指定され、目標販売額として「１００万円」が指定される。
【００１９】
（２）栽培計画生成装置１００は、栽培対象の作物の生育期間に基づいて、指定された目標販売時期の収穫を可能とする作物の作付け時期を特定する。ここで、作物の生育期間とは、作物を作付けしてから収穫期を迎えるまでにかかる期間である。作物の生育期間は、作物の品目の違い、あるいは、同一品目の作物であっても作型または品種の違いにより大きく異なる場合がある。
【００２０】
このため、作物の生育期間は、例えば、作物の品目、品種、作型のうちの少なくとも品目、または、品目および作型の組み合わせに応じて予め記録される。目標販売時期の収穫を可能とする作物の作付け時期とは、目標販売時期に作物の収穫期を迎えるための作付け時期である。
【００２１】
図１の例では、キャベツの生育期間を「６０日」とする。この場合、栽培計画生成装置１００は、目標販売時期「２０××年○月△日」から「６０日」遡った日付「２０××年□月×日」を、栽培対象の作物「キャベツ」の作付け時期として特定する。なお、目標販売時期として、ある月の上旬、中旬、下旬といった期間が指定された場合は、栽培計画生成装置１００は、指定された期間内のいずれかの日付を基準に、「６０日」遡った日付を作付け時期として特定する。
【００２２】
（３）栽培計画生成装置１００は、栽培対象の作物の単位量当たりの販売額に基づいて、指定された目標販売額の収穫を可能とする作物の作付け量に関する指標を特定する。ここで、作物の単位量当たりの販売額とは、例えば、作物の販売単価である。単位量としては、例えば、ｋｇ（キログラム）、ｔ（トン）、ｌｂ（ポンド）などの重量単位が用いられる。
【００２３】
作物の単位量当たりの販売額は、作物の品目または品種の違いにより大きく異なる場合がある。このため、作物の単位量当たりの販売額は、例えば、作物の品目、品種、作型のうちの少なくとも品目に応じて予め記録される。また、作物の作付け量に関する指標とは、例えば、目標販売額の収穫を可能とする作物の目標収穫量、該当する作物の単位当たり目標収穫量（反収）、目標収穫量の収穫を可能とする作付面積などである。
【００２４】
具体的には、例えば、栽培計画生成装置１００は、指定された目標販売額を、作物の単位量当たりの販売額で除算することにより、作物の目標収穫量を特定することができる。また、栽培計画生成装置１００は、例えば、特定した作物の目標収穫量を反収で除算することにより、目標収穫量の作物を収穫するために必要となる作付面積を特定することができる。
【００２５】
ここで、反収とは、田畑１反当たりの作物の収穫高である。反収は、１反当たりに代えて、１０ａ（アール）当たりで表現されることもある。作物の反収は、作物の品目の違い、あるいは、同一品目の作物であっても作型または品種の違いにより大きく異なる場合がある。このため、作物の反収は、例えば、作物の品目、品種、作型のうちの少なくとも品目、または、品目および作型の組み合わせに応じて予め記録される。また、作付面積とは、作物を栽培する圃場のサイズ、すなわち、作物を作付けする面積の総和である。圃場とは、作物を栽培、生育するための田畑、菜園などである。
【００２６】
図１の例では、目標販売額「１００万円」の収穫を可能とする作物の目標収穫量「８［ｔ］」と、目標収穫量「８［ｔ］」の収穫を可能とする作物の作付面積「５０［ａ］」が、作物「キャベツ」の作付け量に関する指標として特定されている。
【００２７】
（４）栽培計画生成装置１００は、特定した作物の作付け時期と作物の作付け量に関する指標とを出力する。図１の例では、栽培対象の作物「キャベツ」の作付け時期「２０××年□月×日」と、作物「キャベツ」の作付け量に関する指標として目標収穫量「８［ｔ］」および作付面積「５０［ａ］」が出力される。
【００２８】
このように、栽培計画生成装置１００によれば、栽培対象の作物の生育期間に基づいて、指定された目標販売時期の収穫を可能とする作物の作付け時期を特定することができる。また、栽培計画生成装置１００によれば、栽培対象の作物の単位量当たりの販売額に基づいて、指定された目標販売額の収穫を可能とする作物の作付け量に関する指標を特定することができる。
【００２９】
これにより、目標販売時期に目標販売額を得るための栽培対象の作物の作付け時期および作付け量に関する指標を提示することができ、目標販売時期に目標販売額を得るための作物の栽培計画の立案作業を支援することができる。
【００３０】
図１の例では、ユーザは、目標販売時期「２０××年○月△日」に目標販売額「１００万円」を得るための作物「キャベツ」の作付け時期「２０××年□月×日」を特定することができる。また、ユーザは、目標販売時期「２０××年○月△日」に目標販売額「１００万円」を得るための作物「キャベツ」の目標収穫量「８［ｔ］」および作付面積「５０［ａ］」を特定することができる。
【００３１】
これにより、ユーザは、目標販売時期「２０××年○月△日」に目標販売額「１００万円」を得るために、どの時期にどれくらい作付けすればよいのかを大まかに把握することが可能となり、栽培対象の作物「キャベツ」の栽培計画を立案しやすくなる。
【００３２】
（農業支援システム２００のシステム構成例）
つぎに、図１に示した栽培計画生成装置１００を農業支援システム２００に適用した場合について説明する。
【００３３】
図２は、農業支援システム２００のシステム構成例を示す説明図である。図２において、農業支援システム２００は、栽培計画生成装置１００と、クライアント装置２０１−１〜２０１−ｎと、を含む構成である（ｎは、２以上の自然数）。農業支援システム２００において、栽培計画生成装置１００とクライアント装置２０１−１〜２０１−ｎは、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３４】
ここで、栽培計画生成装置１００は、栽培計画ＤＢ（データベース）２２０および作物マスタ２３０を有し、クライアント装置２０１−１〜２０１−ｎの表示制御を行う。栽培計画生成装置１００は、例えば、サーバである。各種ＤＢ等２２０，２３０の記憶内容については、図５および図６を用いて後述する。
【００３５】
クライアント装置２０１−１〜２０１−ｎは、ディスプレイ（例えば、後述する図４に示すディスプレイ４０６）を有し、栽培計画生成装置１００の表示制御に従って、各種画面を表示可能なコンピュータである。クライアント装置２０１−１〜２０１−ｎは、例えば、農業経営者や作業者が使用するＰＣ、ノートＰＣ、タブレット型ＰＣ、スマートフォンなどである。
【００３６】
具体的には、例えば、栽培計画生成装置１００は、クライアント装置２０１−１〜２０１−ｎから各種画面（例えば、後述する販売目標入力画面７００、収穫目標画面９００、作付計画画面１０００、圃場選択画面１２００）の表示要求を受信すると、各種画面の画面情報を生成してクライアント装置２０１−１〜２０１−ｎに送信する。この結果、クライアント装置２０１−１〜２０１−ｎのディスプレイに各種画面が表示される。
【００３７】
以下の説明では、クライアント装置２０１−１〜２０１−ｎを単に「クライアント装置２０１」と表記する場合がある。
【００３８】
（栽培計画生成装置１００のハードウェア構成例）
図３は、栽培計画生成装置１００のハードウェア構成例を示すブロック図である。図３において、栽培計画生成装置１００は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３９】
ここで、ＣＰＵ３０１は、栽培計画生成装置１００の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００４０】
Ｉ／Ｆ３０３は、通信回線を通じてネットワーク２１０に接続され、ネットワーク２１０を介して他のコンピュータ（例えば、図２に示したクライアント装置２０１）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００４１】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４２】
なお、栽培計画生成装置１００は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００４３】
（クライアント装置２０１のハードウェア構成例）
図４は、クライアント装置２０１のハードウェア構成例を示すブロック図である。図４において、クライアント装置２０１は、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００４４】
ここで、ＣＰＵ４０１は、クライアント装置２０１の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４５】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００４６】
Ｉ／Ｆ４０５は、通信回線を通じてネットワーク２１０に接続され、ネットワーク２１０を介して他のコンピュータ（例えば、図２に示した栽培計画生成装置１００）に接続される。そして、Ｉ／Ｆ４０５は、ネットワーク２１０と内部のインターフェースを司り、他のコンピュータからのデータの入出力を制御する。
【００４７】
ディスプレイ４０６は、カーソル、アイコンあるいはツールボックスをはじめ、文書、画像、機能情報などのデータを表示する。ディスプレイ４０６は、例えば、ＣＲＴ（Ｃａｔｈｏｄｅ  Ｒａｙ  Ｔｕｂｅ）、液晶ディスプレイ、有機ＥＬ（Ｅｌｅｃｔｒｏｌｕｍｉｎｅｓｃｅｎｃｅ）ディスプレイなどを採用することができる。
【００４８】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。
【００４９】
なお、クライアント装置２０１は、上述した構成部のうち、例えば、ディスクドライブ４０３、ディスク４０４などを有さないことにしてもよい。また、クライアント装置２０１は、上述した構成部のほか、例えば、ＳＳＤ、スキャナ、プリンタなどを有することにしてもよい。
【００５０】
（各種ＤＢ２２０，２３０の記憶内容）
つぎに、図５および図６を用いて各種ＤＢ２２０，２３０の記憶内容について説明する。各種ＤＢ２２０，２３０は、例えば、図３に示した栽培計画生成装置１００のメモリ３０２、ディスク３０５により実現される。
【００５１】
＜栽培計画ＤＢ２２０の記憶内容＞
図５は、栽培計画ＤＢ２２０の記憶内容の一例を示す説明図である。図５において、栽培計画ＤＢ２２０は、品目、品種、作型、目標販売時期、目標販売額、作付け時期、目標収穫量、作付面積、選択圃場のフィールドを有する。各フィールドに情報を設定することで、栽培計画情報（例えば、栽培計画情報５００−１）がレコードとして記憶される。
【００５２】
ここで、品目は、作物の種類である。品種は、同一品目の中の種類である。作型は、作物の栽培を行うときの条件や技術の組み合わせを示す体系である。目標販売時期は、作物を収穫して販売する目標時期である。目標販売額は、作物を販売して得る目標金額である。作付け時期は、目標販売時期の収穫を可能とする作物の作付け時期である。
【００５３】
目標収穫量は、目標販売額の収穫を可能とする作物の収穫量である。目標収穫量の単位としては、例えば、ｋｇ、ｔ、ｌｂなどの重量単位が用いられる。作付面積は、目標収穫量の収穫を可能とする作物の作付面積である。選択圃場は、作物の作付け先として選択された圃場である。
【００５４】
＜作物マスタ２３０の記憶内容＞
図６は、作物マスタ２３０の記憶内容の一例を示す説明図である。図６において、作物マスタ２３０は、品目、品種、作型、生育期間、単価、反収および歩留率のフィールドを有する。各フィールドに情報を設定することで、作物情報（例えば、作物情報６００−１〜６００−３）がレコードとして記憶される。
【００５５】
ここで、品目は、作物の種類である。品種は、同一品目の中の種類である。品種「共通」は、どの品種にも適用されることを意味する。作型は、作物の栽培を行うときの条件や技術の組み合わせを示す体系である。生育期間は、作物を作付けしてから収穫期を迎えるまでにかかる期間である。単価は、作物の単位量当たりの販売額である。
【００５６】
反収は、田畑１０［ａ］当たりの作物の収穫高である。反収の単位としては、例えば、ｋｇ、ｔ、ｌｂなどの重量単位が用いられる。歩留率は、作物の収穫量の歩留まりであり、単位面積当たりに期待される収穫量に対して、実際に得られる収穫量の割合を示す。作物の歩留率は、作物の品目の違い、あるいは、同一品目の作物であっても作型または品種の違いにより大きく異なる場合がある。
【００５７】
このため、作物の歩留率は、例えば、作物の品目、品種、作型のうちの少なくとも品目、または、品目および作型の組み合わせに応じて設定される。また、作物の収穫量は天候などの外部要因により変化するため、作物の歩留率は、天候などの外部要因により変化する作物の収穫量を考慮して設定される。
【００５８】
（販売目標入力画面の画面例）
つぎに、クライアント装置２０１のディスプレイ４０６に表示される販売目標入力画面の画面例について説明する。以下の説明においては、操作画面に表示されている項目をユーザが選択する操作としてクリック操作を行うことを例として説明する。
【００５９】
図７は、販売目標入力画面の画面例を示す説明図である。図７において、販売目標入力画面７００は、栽培対象の作物の品目、品種および作型と、栽培対象の作物の目標販売時期および目標販売額との指定を受け付ける画面である。
【００６０】
販売目標入力画面７００において、図４に示した入力装置４０７を用いたユーザの操作入力により、「作付グループ」に対応するボックス（例えば、ボックス７０１）をクリックすると、作付グループ名を指定することができる。作付グループは、栽培対象の作物を識別するグループであり、栽培対象の作物の品目、品種、作型の組み合わせにより分類される。図７の例では、ボックス７０１がクリックされて、作付グループ名「グループＧ１」が指定されている。
【００６１】
また、販売目標入力画面７００において、ユーザの操作入力により、「品目」に対応するボックス（例えば、ボックス７０２）をクリックすると、栽培対象の作物の品目を指定することができる。図７の例では、ボックス７０２がクリックされて、グループＧ１の作物の品目「キャベツ」が指定されている。
【００６２】
また、販売目標入力画面７００において、ユーザの操作入力により、「品種」に対応するボックス（例えば、ボックス７０３）をクリックすると、栽培対象の作物の品種を指定することができる。図７の例では、グループＧ１の作物の品種が指定されておらず、「−（ＮＵＬＬ）」となっている。
【００６３】
また、販売目標入力画面７００において、ユーザの操作入力により、「作型」に対応するボックス（例えば、ボックス７０４）をクリックすると、栽培対象の作物の作型を指定することができる。図７の例では、ボックス７０４がクリックされて、グループＧ１の作物の作型「春どり」が指定されている。
【００６４】
また、販売目標入力画面７００において、ユーザの操作入力により、各時期に対応するボックス（例えば、ボックス７０５）をクリックすると、栽培対象の作物の目標販売時期および目標販売額を指定することができる。図７の例では、ボックス７０５がクリックされて、グループＧ１の作物の目標販売時期「２０１５年２月中旬」および目標販売額「１００［万円］」が指定されている。
【００６５】
また、販売目標入力画面７００において、ユーザの操作入力により、ボタンＢ２をクリックすると、後述する図９に示す収穫目標画面９００に切り替えることができる。また、販売目標入力画面７００において、ユーザの操作入力により、ボタンＢ３をクリックすると、後述する図１０に示す作付計画画面１０００に切り替えることができる。
【００６６】
なお、図７では、栽培対象の作物の目標販売時期を旬単位で受け付ける場合を例に挙げて説明したが、ユーザの操作入力により、栽培対象の作物の目標販売時期を日単位や月単位で受け付ける販売目標入力画面に切り替え可能である。
【００６７】
（栽培計画生成装置１００の機能的構成例）
図８は、栽培計画生成装置１００の機能的構成例を示すブロック図である。図８において、栽培計画生成装置１００は、受付部８０１と、特定部８０２と、表示制御部８０３と、算出部８０４と、を含む構成である。受付部８０１〜算出部８０４は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００６８】
受付部８０１は、栽培対象の作物、目標販売時期および目標販売額の指定を受け付ける。栽培対象の作物の指定は、例えば、作物の品目、品種、作型のうちの少なくとも品目、または、品目および作型の組み合わせを指定することにより行われる。具体的には、例えば、栽培対象の作物、目標販売時期および目標販売額の指定は、販売目標入力画面７００（図７参照）において、ユーザの操作入力により行われる。
【００６９】
クライアント装置２０１は、指定された栽培対象の作物、目標販売時期および目標販売額の指定結果を栽培計画生成装置１００に送信する。この場合、受付部８０１は、クライアント装置２０１から指定結果を受信することにより、栽培対象の作物、目標販売時期および目標販売額の指定を受け付ける。
【００７０】
一例として、図７に示したグループＧ１を例に挙げると、作物の品目「キャベツ」、作型「春どり」、目標販売時期「２０１５年２月中旬」および目標販売額「１００［万円］」の指定を受け付ける。なお、作物の品種は指定されていない。指定された栽培対象の作物、目標販売時期および目標販売額は、例えば、栽培計画ＤＢ２２０（図５参照）に記憶される。
【００７１】
特定部８０２は、栽培対象の作物の生育期間に基づいて、指定された目標販売時期の収穫を可能とする作物の作付け時期を特定する。具体的には、例えば、特定部８０２は、作物マスタ２３０（図６参照）を参照して、栽培対象の作物に対応する生育期間を特定する。そして、特定部８０２は、指定された目標販売時期から、特定した生育期間分遡った時期を、作物の作付け時期として特定する。
【００７２】
一例として、グループＧ１（図７参照）を例に挙げると、特定部８０２は、作物マスタ２３０（図６参照）を参照して、栽培対象の作物の品目「キャベツ」、作型「春どり」に対応する生育期間「６０［日］」を特定する。そして、特定部８０２は、指定された目標販売時期「２０１５年２月中旬」から、特定した生育期間「６０［日］」分遡った時期「２０１４年１２月中旬」を、作物の作付け時期として特定する。特定された作物の作付け時期は、例えば、栽培対象の作物、目標販売時期および目標販売額と対応付けて栽培計画ＤＢ２２０（図５参照）に記憶される。
【００７３】
また、特定部８０２は、栽培対象の作物の単位量当たりの販売額に基づいて、指定された目標販売額の収穫を可能とする作物の作付け量に関する指標を特定する。ここで、作物の作付け量に関する指標は、例えば、目標販売額の収穫を可能とする作物の目標収穫量、該当する作物の単位当たり目標収穫量（反収）、目標収穫量の収穫を可能とする作物の作付面積、作付け量などである。
【００７４】
具体的には、例えば、特定部８０２は、作物マスタ２３０（図６参照）を参照して、栽培対象の作物に対応する単価を特定する。そして、特定部８０２は、指定された目標販売額を、特定した単価で除算することにより、栽培対象の作物の目標収穫量を特定することができる。
【００７５】
一例として、グループＧ１（図７参照）を例に挙げると、特定部８０２は、作物マスタ２３０（図６参照）を参照して、栽培対象の作物の品目「キャベツ」、作型「春どり」に対応する単価「１５０［円／ｋｇ］」を特定する。そして、特定部８０２は、指定された目標販売額「１００［万円］」を、特定した単価「１５０［円／ｋｇ］」で除算する。これにより、栽培対象の作物の目標収穫量「６．７［ｔ］（＝１，０００，０００÷１５０÷１０００）」を特定することができる。特定された作物の目標収穫量は、例えば、栽培対象の作物、目標販売時期および目標販売額と対応付けて栽培計画ＤＢ２２０（図５参照）に記憶される。
【００７６】
また、例えば、特定部８０２は、作物マスタ２３０（図６参照）を参照して、栽培対象の作物に対応する反収を特定する。そして、特定部８０２は、特定した作物の目標収穫量を、特定した反収で除算することにより、目標収穫量の収穫を可能とする作物の作付面積を特定することができる。
【００７７】
一例として、グループＧ１（図７参照）を例に挙げると、特定部８０２は、作物マスタ２３０（図６参照）を参照して、栽培対象の作物の品目「キャベツ」、作型「春どり」に対応する田畑１０［ａ］当たりの反収「１［ｔ］」を特定する。そして、特定部８０２は、特定した目標収穫量「６．７［ｔ］」を、特定した田畑１０［ａ］当たりの反収「１［ｔ］」で除算する。これにより、目標収穫量「６．７［ｔ］」の収穫を可能とする作付面積「６７［ａ］（＝６．７［ｔ］÷１［ｔ］×１０［ａ］）」を特定することができる。
【００７８】
また、例えば、特定部８０２は、作物マスタ２３０（図６参照）を参照して、栽培対象の作物に対応する歩留率を特定する。そして、特定部８０２は、特定した作付面積を、特定した歩留率で除算することにより、作物の収穫量の歩留まりを考慮した作付面積を特定することができる。
【００７９】
一例として、グループＧ１（図７参照）を例に挙げると、特定部８０２は、作物マスタ２３０（図６参照）を参照して、栽培対象の作物の品目「キャベツ」、作型「春どり」に対応する歩留率「０．８」を特定する。そして、特定部８０２は、特定した作付面積「６７［ａ］」を、特定した歩留率「０．８」で除算する。これにより、作物の収穫量の歩留まりを考慮した作付面積「８３．８［ａ］（＝６７［ａ］÷０．８）」を特定することができる。特定された作物の作付面積は、例えば、栽培対象の作物、目標販売時期および目標販売額と対応付けて栽培計画ＤＢ２２０（図５参照）に記憶される。
【００８０】
また、例えば、特定部８０２は、特定した作付面積を、単位面積当たりの作物の作付け量で除算することにより、目標収穫量の収穫を可能とする作物の作付け量を特定することができる。ここで、作物の作付け量とは、作物を栽培するために播く種の重量や、作物を栽培するために植える苗の株数である。単位面積当たりの作物の作付け量は、例えば、作物の品目、品種、作型のうちの少なくとも品目、または、品目および作型の組み合わせに応じて予め記録されている。
【００８１】
一例として、グループＧ１（図７参照）を例に挙げ、品目「キャベツ」および作型「春どり」の作物の１［ａ］当たりの作付け量（種の重量）を「１［ｋｇ］」とする。この場合、特定部８０２は、特定した作付面積「８３．８［ａ］」を、単位面積当たりの作付け量「１［ｋｇ］」で除算することにより、目標収穫量「６．７［ｔ］」の収穫を可能とする作付け量「８３．８［ｋｇ］」を特定することができる。特定された作物の作付け量は、例えば、栽培対象の作物、目標販売時期および目標販売額と対応付けて栽培計画ＤＢ２２０（図５参照）に記憶してもよい。
【００８２】
表示制御部８０３は、特定された栽培対象の作物の作付け時期と、栽培対象の作物の作付け量に関する指標とを出力する。具体的には、例えば、表示制御部８０３は、栽培対象の作物の作付け時期と、栽培対象の作物の作付け量に関する指標とを、クライアント装置２０１のディスプレイ４０６に表示する制御を行う。
【００８３】
より具体的には、例えば、表示制御部８０３は、特定された作物の目標収穫量に基づいて、後述の図９に示す収穫目標画面９００の画面情報を生成して、クライアント装置２０１に送信する。これにより、目標販売時期に目標販売額の収穫を可能とする作物の目標収穫量をディスプレイ４０６に表示することができる。
【００８４】
また、例えば、表示制御部８０３は、特定された作物の作付け時期と、特定された作物の作付面積とに基づいて、後述の図１０に示す作付計画画面１０００の画面情報を生成して、クライアント装置２０１に送信する。これにより、目標販売時期の収穫を可能とする作物の作付け時期と作付面積をディスプレイ４０６に表示することができる。
【００８５】
また、表示制御部８０３は、栽培対象の作物の作付け先の圃場のリストを表示する。ここで、圃場のリストとは、栽培対象の作物の作付け先となり得る候補圃場をリスト化して示すものである。圃場のリストは、農業経営者が管理している全ての圃場がリスト化されたものであってもよく、また、クライアント装置２０１のユーザにより任意に絞り込まれた圃場がリスト化されたものであってもよい。
【００８６】
具体的には、例えば、表示制御部８０３は、リスト化する圃場の情報に基づいて、後述の図１２に示す圃場選択画面１２００の画面情報を生成して、クライアント装置２０１に送信する。これにより、栽培対象の作物の作付け先の圃場を選択するための圃場選択画面１２００をディスプレイ４０６に表示することができる。圃場の情報には、圃場名や作物を作付け可能な面積などの情報が含まれている。圃場の情報は、例えば、メモリ３０２、ディスク３０５などの記憶装置に記憶されている。
【００８７】
また、受付部８０１は、圃場のリストのうち、特定の圃場について栽培対象の作物の作付け量に関する指標に応じた作物の作付け先としての選択を受け付ける。具体的には、例えば、栽培対象の作物の作付け先となる圃場の選択は、後述の図１２に示す圃場選択画面１２００において、ユーザの操作入力により行われる。
【００８８】
クライアント装置２０１は、選択された圃場の選択結果を栽培計画生成装置１００に送信する。この場合、受付部８０１は、クライアント装置２０１から選択結果を受信することにより、特定の圃場について栽培対象の作物の作付け先としての選択を受け付ける。選択された圃場（選択圃場）の情報は、例えば、栽培対象の作物、目標販売時期および目標販売額と対応付けて栽培計画ＤＢ２２０（図５参照）に記憶される。
【００８９】
また、１つの圃場に対して、ある期間（例えば、数ヶ月）内に、作物の栽培（作付け〜収穫）を複数回行える場合がある。このような栽培の仕方は、連作や輪作と呼ばれることがある。また、１つの圃場を区分けすることで、１つの圃場に対して、同一時期に複数の栽培を行うことができる。すなわち、１つの圃場を分筆して複数の圃場のように扱うことができる。
【００９０】
そこで、表示制御部８０３は、特定の圃場についての選択の受け付け後、圃場のリストのうち、特定の圃場を、さらに選択することを許容しつつ、かつ、栽培対象の作物の作付け先の圃場として未選択の他の圃場と異なる表示態様とすることにしてもよい。具体的には、例えば、表示制御部８０３は、圃場のリストのうち、選択された圃場の背景色を、未選択の他の圃場の背景色と異なる色で表示する制御を行うことにしてもよい。
【００９１】
また、例えば、表示制御部８０３は、圃場のリストのうち、選択された圃場の文字色を、未選択の他の圃場の文字色と異なる色で表示する制御を行うことにしてもよい。これにより、二期作や連作等を想定して、１つの圃場について複数回の選択を許容しつつ、選択済みの圃場を識別可能に表示することができる。
【００９２】
算出部８０４は、栽培対象の作物の作付け先として選択された圃場のサイズを累積して得られる累積サイズを算出する。ここで、圃場のサイズとは、圃場に作付けされる栽培対象の作物の作付面積である。具体的には、例えば、算出部８０４は、栽培対象の作物の作付け先の圃場が選択されるたびに、選択された圃場のサイズを累積することにより累積サイズを算出する。
【００９３】
より具体的には、例えば、算出部８０４は、選択された圃場に作物を作付け可能な最大の作付面積を累積することにより累積サイズを算出することにしてもよい。また、算出部８０４は、例えば、選択された圃場について指定された作付面積を累積することにより累積サイズを算出することにしてもよい。
【００９４】
また、表示制御部８０３は、算出された累積サイズを表示する制御を行う。具体的には、例えば、表示制御部８０３は、栽培対象の作物の作付け先の圃場の選択に応じて、累積サイズの表示を更新する。累積サイズの表示を更新する更新例については、図１４および図１５を用いて後述する。
【００９５】
また、算出部８０４は、栽培対象の作物の作付け先として選択された圃場に応じた作付け量を累積して得られる累積作付け量を算出することにしてもよい。ここで、圃場に応じた作付け量とは、例えば、圃場の作付面積に応じて特定される、作物の種の重量や作物の苗の株数である。具体的には、例えば、算出部８０４は、栽培対象の作物の作付け先の圃場が選択されるたびに、選択された圃場に応じた作付け量を累積することにより累積作付け量を算出する。
【００９６】
より具体的には、例えば、算出部８０４は、選択された圃場の最大の作付面積に応じて特定される作付け量を累積することにより累積作付け量サイズを算出することにしてもよい。また、算出部８０４は、例えば、選択された圃場について指定された作付面積に応じて特定される作付け量を累積することにより累積作付け量を算出することにしてもよい。
【００９７】
また、表示制御部８０３は、算出された累積作付け量を表示する制御を行う。具体的には、例えば、表示制御部８０３は、栽培対象の作物の作付け先の圃場の選択に応じて、累積作付け量の表示を更新する。
【００９８】
なお、栽培計画生成装置１００は、栽培対象の作物の作付け先として選択された圃場における栽培対象の作物に関する作業スケジュールを作成することにしてもよい。ここで、作業スケジュールとは、圃場における作物の栽培に関する１以上の作業の予定である。作業スケジュールは、例えば、各作業の作業種別、開始予定時期および終了予定時期により指定される。
【００９９】
作業種別は、農業生産のための作業を作業内容で区分けしたものである。作業種別としては、例えば、耕耘、播種、定植、見回り、施肥、農薬散布、追肥、灌水、収穫などがある。具体的には、例えば、栽培計画生成装置１００は、栽培対象の作物に対応する作業テンプレートに基づいて、栽培対象の作物の目標販売時期が収穫作業の開始予定時期となる作業スケジュールを作成する。
【０１００】
作業テンプレートは、作物を作付けしてから収穫が完了するまでの間に実施すべき各作業の作業種別、各作業の作業日数あるいは各作業の予定期間が規定されたものである。作業テンプレートは、例えば、作物の品目、品種および作型の組み合わせと対応付けて、メモリ３０２、ディスク３０５などの記憶装置に記憶されている。
【０１０１】
また、上述した説明では、指定された目標販売時期の収穫を可能とする作物の作付け時期を特定することにしたが、これに限らない。例えば、目標販売時期に作物の販売をすぐに開始したい場合がある。この場合、例えば、特定部８０２は、作物の生育期間に、作物の収穫作業の作業日数を加えた期間を算出し、作物の目標販売時期から、算出した期間分遡った時期を、作物の作付け時期として特定することにしてもよい。作物の収穫作業の作業日数は、例えば、作物に対応する作業テンプレートから特定される。
【０１０２】
（収穫目標画面の画面例）
つぎに、クライアント装置２０１のディスプレイ４０６に表示される収穫目標画面の画面例について説明する。収穫目標画面は、例えば、図７に示した販売目標入力画面７００において、ユーザの操作入力により、ボタンＢ２をクリックすると、クライアント装置２０１のディスプレイ４０６に表示される。
【０１０３】
図９は、収穫目標画面の画面例を示す説明図である。図９において、収穫目標画面９００は、目標販売時期に目標販売額の収穫を可能とする栽培対象の作物の目標収穫量（単位：ｔ）を表示する画面である。
【０１０４】
収穫目標画面９００には、販売目標入力画面７００において指定された作付グループの栽培対象の作物について、指定された目標販売時期に、指定された目標販売額の収穫を可能とする栽培対象の作物の目標収穫量が表示されている。
【０１０５】
例えば、ボックス９０１には、グループＧ１の栽培対象の作物「品目：キャベツ、作型：春どり」について、目標販売時期「２０１５年２月中旬」に目標販売額「１００［万円］」の収穫を可能とする目標収穫量「６．７［ｔ］」が表示されている。これにより、ユーザは、作物「品目：キャベツ、作型：春どり」について、目標販売時期「２０１５年２月中旬」に目標販売額「１００［万円］」の収穫を得るための収穫量として、「６．７［ｔ］」が必要であることがわかる。
【０１０６】
また、ボックス９０２には、グループＧ１の栽培対象の作物「品目：キャベツ、作型：春どり」について、目標販売時期「２０１５年２月下旬」に目標販売額「２００［万円］」の収穫を可能とする目標収穫量「１３．３［ｔ］」が表示されている。これにより、ユーザは、作物「品目：キャベツ、作型：春どり」について、目標販売時期「２０１５年２月下旬」に目標販売額「２００［万円］」の収穫を得るための収穫量として、「１３．３［ｔ］」が必要であることがわかる。
【０１０７】
また、ボックス９０３には、グループＧ２の栽培対象の作物「品目：キャベツ、作型：夏どり」について、目標販売額「２０１５年５月下旬」に目標販売額「８０［万円］」の収穫を可能とする目標収穫量「４．４［ｔ］」が表示されている。これにより、ユーザは、作物「品目：キャベツ、作型：夏どり」について、目標販売時期「２０１５年５月下旬」に目標販売額「８０［万円］」の収穫を得るための収穫量として、「４．４［ｔ］」が必要であることがわかる。
【０１０８】
また、収穫目標画面９００では、目標収穫量が「０．０［ｔ］」となっているボックスが、他のボックスと異なる背景色で表示される。これにより、目標収穫量が「０．０［ｔ］」ではないボックスの表示が強調され、ある期間（図９では、２０１５年１月〜６月）の収穫有無のバランスを把握しやすくすることができる。
【０１０９】
なお、販売目標入力画面において栽培対象の作物の目標販売時期を日単位や月単位で受け付けた場合は、収穫目標画面９００には、栽培対象の作物の目標収穫量が日単位や月単位で表示される。また、収穫目標画面９００において、ユーザの操作入力により、ボタンＢ１をクリックすると、販売目標入力画面７００に戻ることができる。
【０１１０】
（作付計画画面の画面例）
つぎに、クライアント装置２０１のディスプレイ４０６に表示される作付計画画面の画面例について説明する。作付計画画面は、例えば、図７に示した販売目標入力画面７００において、ユーザの操作入力により、ボタンＢ３をクリックすると、クライアント装置２０１のディスプレイ４０６に表示される。
【０１１１】
図１０は、作付計画画面の画面例を示す説明図である。図１０において、作付計画画面１０００は、目標販売時期に目標販売額の収穫を可能とする栽培対象の作物の作付け時期および作付面積（単位：ａ）を表示する画面である。
【０１１２】
作付計画画面１０００には、販売目標入力画面７００において指定された作付グループの栽培対象の作物について、指定された目標販売時期に、指定された目標販売額の収穫を可能とする栽培対象の作物の作付け時期および作付面積が表示されている。
【０１１３】
例えば、ボックス１００１には、グループＧ１の栽培対象の作物「品目：キャベツ、作型：春どり」について、目標販売時期に目標販売額の収穫を可能とする作付面積「８３．８［ａ］」が表示されている。これにより、ユーザは、作物「品目：キャベツ、作型：春どり」について、ある目標販売時期に、ある目標販売額の収穫を得るための作付け時期が「２０１４年１２月中旬」であり、作付面積として「８３．８［ａ］」が必要であることがわかる。
【０１１４】
ただし、図１０の例では、ボックス１００１に表示される作付面積「８３．８［ａ］」が、どの目標（目標販売時期、目標販売額）に対応しているのかがわかりにくい。このため、例えば、ユーザの操作入力により、ボックス１００１を指定すると、対応する目標販売時期、目標販売額および目標収穫量等の情報がポップアップ表示されることにしてもよい。目標販売時期、目標販売額および目標収穫量等の情報のポップアップ表示例については、図１１を用いて後述する。
【０１１５】
また、ボックス１００２には、グループＧ１の栽培対象の作物「品目：キャベツ、作型：春どり」について、目標販売時期に目標販売額の収穫を可能とする作付面積「１６６．３［ａ］」が表示されている。これにより、ユーザは、作物「品目：キャベツ、作型：春どり」について、ある目標販売時期に、ある目標販売額の収穫を得るための作付け時期が「２０１４年１２月下旬」であり、作付面積として「１６６．３［ａ］」が必要であることがわかる。
【０１１６】
また、ボックス１００３には、グループＧ２の栽培対象の作物「品目：キャベツ、作型：夏どり」について、目標販売時期に目標販売額の収穫を可能とする作付面積「２７．８［ａ］」が表示されている。これにより、ユーザは、作物「品目：キャベツ、作型：夏どり」について、ある目標販売時期に、ある目標販売額の収穫を得るための作付け時期が「２０１５年２月下旬」であり、作付面積として「２７．８［ａ］」が必要であることがわかる。
【０１１７】
また、作付計画画面１０００では、作付面積が「０．０［ａ］」となっているボックスが、他のボックスと異なる背景色で表示される。これにより、作付面積が「０．０［ａ］」ではないボックスの表示が強調され、ある期間（図１０では、２０１４年１１月〜２０１５年４月）の作付有無のバランスを把握しやすくすることができる。
【０１１８】
なお、販売目標入力画面において栽培対象の作物の目標販売時期を日単位や月単位で受け付けた場合は、作付計画画面１０００には、栽培対象の作物の作付面積が日単位や月単位で表示される。また、作付計画画面１０００において、ユーザの操作入力により、ボタンＢ１をクリックすると、販売目標入力画面７００に戻ることができる。
【０１１９】
図１１は、作付計画画面のポップアップ表示例を示す説明図である。図１１の作付計画画面１０００において、ユーザの操作入力により、例えば、カーソルＣをボックス１００１に合わせると、目標情報１１０１がポップアップ表示される。ここで、目標情報１１０１は、ボックス１００１に対応する目標販売時期、目標販売額および目標収穫量を示す情報である。
【０１２０】
このように、ユーザは、マウスオーバー等の簡単な操作を行うだけで、各ボックスに対応する目標販売時期、目標販売額および目標収穫量を確認することができる。図１１の例では、ユーザは、目標販売時期「２０１５年２月中旬」に目標販売額「１００［万円］」の収穫を可能とする栽培対象の作物「品目：キャベツ、作型：春どり」の目標収穫量「６．７［ｔ］」、作付け時期「２０１４年１２月中旬」および作付面積「８３．８［ａ］」を把握することができる。
【０１２１】
（圃場選択画面の画面例）
つぎに、クライアント装置２０１のディスプレイ４０６に表示される圃場選択画面の画面例について説明する。
【０１２２】
図１２は、圃場選択画面の画面例を示す説明図である。図１２において、圃場選択画面１２００は、栽培対象の作物の作付け先の圃場を選択するための操作画面である。ここでは、目標販売時期「２０１５年２月中旬」に目標販売額「１００［万円］」を得るための作物「品目：キャベツ、作型：春どり」の作付け先の圃場を選択する場合を想定する。
【０１２３】
圃場選択画面１２００において、ユーザの操作入力により、ボックス１２０１をクリックすると、栽培対象の作物の作付面積（総作付面積）を入力することができる。ここでは、作物「品目：キャベツ、作型：春どり」の作付面積として、目標販売時期「２０１５年２月中旬」に目標販売額「１００［万円］」の収穫を可能とする作物「品目：キャベツ、作型：春どり」の作付面積「８３．８［ａ］」が入力されている。
【０１２４】
圃場選択画面１２００において、ボックス１２０２をクリックすると、栽培対象の作物の作付け先となり得る候補圃場を絞り込むことができる。ここでは、「全て」が選択されて、農業経営者が管理している全ての圃場が候補圃場リスト１２１０にリスト化されて表示されている。候補圃場リスト１２１０は、栽培対象の作物の作付け先となり得る候補圃場のリストである。
【０１２５】
圃場選択画面１２００において、候補圃場リスト１２１０内のいずれかの圃場をクリックすると、栽培対象の作物の作付け先の圃場を選択することができる。候補圃場リスト１２１０内の各圃場の圃場名の横には、各圃場に作物を作付け可能な最大の作付面積が表示されている。
【０１２６】
なお、候補圃場リスト１２１０において、米印が付された圃場は、作物を現在栽培中の圃場を示している。また、候補圃場リスト１２１０において、星印が付された圃場は、前作に同じ作物を栽培した圃場を示している。
【０１２７】
圃場選択画面１２００において、栽培対象の作物の作付け先の圃場が選択されると、選択された圃場が選択済み圃場リスト１２２０に追加される。また、圃場選択画面１２００において、栽培対象の作物の作付け先の圃場が選択されると、選択された圃場について指定された作付面積を累積した累積サイズ（選択済みの面積）がボックス１２０３に表示される。
【０１２８】
また、圃場選択画面１２００において、栽培対象の作物の作付け先の圃場が選択されると、ボックス１２０１に入力された作付面積（総作付面積）から累積サイズ（選択済みの面積）を減算した値が未選択の面積としてボックス１２０４に表示される。
【０１２９】
また、圃場選択画面１２００において、ボタン１２０５をクリックすると、栽培対象の作物の作付け先の圃場の選択が終了する。選択された圃場（選択圃場）の圃場名、作付面積等の情報は、例えば、栽培対象の作物、目標販売時期および目標販売額と対応付けて栽培計画ＤＢ２２０（図５参照）に記憶される。
【０１３０】
また、圃場選択画面１２００において、ボタン１２０６をクリックすると、選択済み圃場リスト１２２０がクリアされて、栽培対象の作物の作付け先の圃場の選択を最初からやり直すことができる。
【０１３１】
ここで、図１３〜図１５を用いて、圃場選択画面１２００における栽培対象の作物の作付け先となる圃場の選択例について説明する。
【０１３２】
図１３〜図１５は、栽培対象の作物の作付け先となる圃場の選択例を示す説明図である。図１３の圃場選択画面１２００において、作物「品目：キャベツ、作型：春どり」の作付け先の圃場として、候補圃場リスト１２１０から圃場「横浜１」が選択されて、選択済み圃場リスト１２２０に追加されている。
【０１３３】
選択済み圃場リスト１２２０内の圃場「横浜１」の圃場名の先頭には、年度内に圃場「横浜１」が作付け先として選択された回数「０１」が表示される。これにより、ユーザは、圃場「横浜１」の土の状態などを判断することができ、連作障害などができるだけ発生しないような圃場を選択することができる。
【０１３４】
また、選択済み圃場リスト１２２０内のボックス１３０１をクリックすると、圃場「横浜１」に作物を作付け可能な最大の作付面積（圃場面積）のうち、作物を作付けする作付面積を指定することができる。初期設定では、ボックス１３０１には、圃場「横浜１」に作物を作付け可能な最大の作付面積「１５．０［ａ］」が入力される。
【０１３５】
また、候補圃場リスト１２１０から圃場「横浜１」が選択されると、表示制御部８０３により、候補圃場リスト１２１０内の圃場「横浜１」をさらに選択することを許容しつつ、圃場「横浜１」の背景色が、未選択の他の圃場の背景色と異なる色で表示される。これにより、圃場「横浜１」について複数回の選択を許容しつつ、選択済みの圃場「横浜１」を識別可能に表示することができる。
【０１３６】
また、候補圃場リスト１２１０から圃場「横浜１」が選択されると、算出部８０４により、選択された圃場「横浜１」について指定された作付面積を累積した累積サイズ「１５．０［ａ］」が算出される。そして、表示制御部８０３により、算出された累積サイズ「１５．０［ａ］」がボックス１２０３に表示される。
【０１３７】
また、候補圃場リスト１２１０から圃場「横浜１」が選択されると、算出部８０４により、ボックス１２０１に入力された作付面積「８３．８［ａ］」から累積サイズ「１５．０［ａ］」を減算した値「６８．８［ａ］」が算出される。そして、表示制御部８０３により、算出された値「６８．８［ａ］」がボックス１２０４に表示される。
【０１３８】
これにより、ユーザは、目標販売時期「２０１５年２月中旬」に目標販売額「１００［万円］」の収穫を可能とする作物「品目：キャベツ、作型：春どり」の作付面積「８３．８［ａ］」のうち、確保すべき残りの面積を把握することができる。
【０１３９】
図１４の圃場選択画面１２００において、作物「品目：キャベツ、作型：春どり」の作付け先の圃場として、候補圃場リスト１２１０から圃場「横浜２」が選択されて、選択済み圃場リスト１２２０に追加されている。また、ここではボックス１３０２がクリックされて、圃場「横浜２」に作物を作付け可能な最大の作付面積（圃場面積）のうち、作物を作付けする作付面積「１０．０［ａ］」が指定されている。
【０１４０】
また、候補圃場リスト１２１０から圃場「横浜２」が選択されると、表示制御部８０３により、候補圃場リスト１２１０内の圃場「横浜２」をさらに選択することを許容しつつ、圃場「横浜２」の背景色が、未選択の他の圃場の背景色と異なる色で表示される。
【０１４１】
また、候補圃場リスト１２１０から圃場「横浜２」が選択されると、算出部８０４により、選択された圃場「横浜１」、「横浜２」について指定された作付面積を累積した累積サイズ「２５．０［ａ］」が算出される。そして、表示制御部８０３により、算出された累積サイズ「２５．０［ａ］」がボックス１２０３に表示される。
【０１４２】
また、候補圃場リスト１２１０から圃場「横浜２」が選択されると、算出部８０４により、ボックス１２０１に入力された作付面積「８３．８［ａ］」から累積サイズ「２５．０［ａ］」を減算した値「５８．８［ａ］」が算出される。そして、表示制御部８０３により、算出された値「５８．８［ａ］」がボックス１２０４に表示される。
【０１４３】
このあと、作物「品目：キャベツ、作型：春どり」の作付け先の圃場として、候補圃場リスト１２１０から、圃場「小田原１」、「横浜２」、「小田原３」が順に選択された場合を想定する。
【０１４４】
図１５の圃場選択画面１２００において、作物「品目：キャベツ、作型：春どり」の作付け先の圃場として、候補圃場リスト１２１０から圃場「小田原１」、「横浜２」、「小田原３」が順に選択されて、選択済み圃場リスト１２２０に追加されている。
【０１４５】
この結果、選択された圃場「横浜１」、「横浜２」、「小田原１」、「横浜２」、「小田原３」について指定された作付面積を累積した累積サイズが「８３．８［ａ］」となり、ボックス１２０３に表示されている。また、未選択の面積が「０．０［ａ］」となり、ボックス１２０４に表示されている。また、圃場「横浜２」については、同一の圃場が既に選択済みであり、２回目の選択となる。そのため、選択済み圃場リスト１２２０に２回目の選択に伴って追加して表示された下から２行目の圃場「横浜２」には「０２」という表示が付され、同一の圃場に対する２回目の選択であることが視認可能な状態になっている。
【０１４６】
ここで、ボタン１２０５がクリックされると、栽培対象の作物の作付け先の圃場の選択が終了して、選択された圃場（選択圃場）の圃場名、作付面積等の情報が、栽培対象の作物、目標販売時期および目標販売額と対応付けて栽培計画ＤＢ２２０（図５参照）に記憶される。
【０１４７】
（栽培計画生成装置１００の各種処理手順）
つぎに、栽培計画生成装置１００の各種処理手順について説明する。まず、栽培計画生成装置１００の栽培計画生成処理手順について説明する。
【０１４８】
＜栽培計画生成処理手順＞
図１６は、栽培計画生成装置１００の栽培計画生成処理手順の一例を示すフローチャートである。図１６のフローチャートにおいて、まず、栽培計画生成装置１００は、販売目標入力画面の画面情報を送信する（ステップＳ１６０１）。つぎに、栽培計画生成装置１００は、栽培対象の作物、目標販売時期および目標販売額の指定を受け付けたか否かを判断する（ステップＳ１６０２）。
【０１４９】
ここで、栽培計画生成装置１００は、栽培対象の作物、目標販売時期および目標販売額の指定を受け付けるのを待つ（ステップＳ１６０２：Ｎｏ）。栽培計画生成装置１００は、栽培対象の作物、目標販売時期および目標販売額の指定を受け付けた場合（ステップＳ１６０２：Ｙｅｓ）、作物マスタ２３０を参照して、栽培対象の作物に対応する単価を特定する（ステップＳ１６０３）。
【０１５０】
つぎに、栽培計画生成装置１００は、指定された目標販売額を、特定した単価で除算することにより、栽培対象の作物の目標収穫量を特定する（ステップＳ１６０４）。そして、栽培計画生成装置１００は、特定した作物の目標収穫量に基づいて、収穫目標画面の画面情報を生成して、クライアント装置２０１に送信する（ステップＳ１６０５）。
【０１５１】
つぎに、栽培計画生成装置１００は、作物マスタ２３０を参照して、栽培対象の作物に対応する生育期間を特定する（ステップＳ１６０６）。そして、栽培計画生成装置１００は、指定された目標販売時期から、特定した生育期間分遡った時期を特定することにより、作物の作付け時期を特定する（ステップＳ１６０７）。
【０１５２】
つぎに、栽培計画生成装置１００は、作物マスタ２３０を参照して、栽培対象の作物に対応する反収および歩留率を特定する（ステップＳ１６０８）。そして、栽培計画生成装置１００は、特定した作物の目標収穫量と、特定した反収および歩留率とに基づいて、作物の作付面積を特定する（ステップＳ１６０９）。
【０１５３】
そして、栽培計画生成装置１００は、特定した作物の作付け時期と、特定した作物の作付面積とに基づいて、作付計画画面の画面情報を生成して、クライアント装置２０１に送信して（ステップＳ１６１０）、本フローチャートによる一連の処理を終了する。
【０１５４】
これにより、目標販売時期に目標販売額の収穫を可能とする作物の目標収穫量をディスプレイ４０６に表示することができる。また、目標販売時期の収穫を可能とする作物の作付け時期と、目標収穫量の作物の収穫を可能とする作物の作付面積とをディスプレイ４０６に表示することができる。
【０１５５】
＜圃場選択処理手順＞
つぎに、栽培計画生成装置１００の圃場選択処理手順について説明する。ここでは、図１２に示したような圃場選択画面１２００において、クライアント装置２０１のユーザの操作入力により、栽培対象の作物の作付け先となる圃場を選択する場合を例に挙げて説明する。
【０１５６】
図１７は、栽培計画生成装置１００の圃場選択処理手順の一例を示すフローチャートである。図１７のフローチャートにおいて、まず、栽培計画生成装置１００は、栽培対象の作物の作付け先の圃場を選択するための圃場選択画面の画面情報をクライアント装置２０１に送信する（ステップＳ１７０１）。
【０１５７】
つぎに、栽培計画生成装置１００は、栽培対象の作物の作付面積（総作付面積）が入力されたか否かを判断する（ステップＳ１７０２）。ここで、栽培計画生成装置１００は、栽培対象の作物の作付面積（総作付面積）が入力されるのを待つ（ステップＳ１７０２：Ｎｏ）。
【０１５８】
そして、栽培計画生成装置１００は、栽培対象の作物の作付面積（総作付面積）が入力された場合（ステップＳ１７０２：Ｙｅｓ）、候補圃場リストから圃場が選択されたか否かを判断する（ステップＳ１７０３）。ここで、圃場が選択されなかった場合（ステップＳ１７０３：Ｎｏ）、栽培計画生成装置１００は、ステップＳ１７０８に移行する。
【０１５９】
一方、圃場が選択された場合（ステップＳ１７０３：Ｙｅｓ）、栽培計画生成装置１００は、候補圃場リストのうち、選択された圃場を、さらに選択することを許容しつつ、かつ、栽培対象の作物の作付け先の圃場として未選択の他の圃場と異なる表示態様とする（ステップＳ１７０４）。
【０１６０】
つぎに、栽培計画生成装置１００は、選択された圃場について指定された作付面積を累積した累積サイズ（選択済みの面積）を算出する（ステップＳ１７０５）。そして、栽培計画生成装置１００は、入力された作付面積（総作付面積）から、算出した累積サイズ（選択済みの面積）を減算することにより、未選択の面積を算出する（ステップＳ１７０６）。
【０１６１】
つぎに、栽培計画生成装置１００は、算出した累積サイズ（選択済みの面積）および未選択の面積を表示する（ステップＳ１７０７）。そして、栽培計画生成装置１００は、栽培対象の作物の作付け先の圃場の選択が終了したか否かを判断する（ステップＳ１７０８）。ここで、圃場の選択が終了していない場合（ステップＳ１７０８：Ｎｏ）、栽培計画生成装置１００は、ステップＳ１７０３に戻る。
【０１６２】
一方、圃場の選択が終了した場合（ステップＳ１７０８：Ｙｅｓ）、栽培計画生成装置１００は、栽培対象の作物、目標販売時期および目標販売額と対応付けて、選択された圃場（選択圃場）の情報を栽培計画ＤＢ２２０に登録して（ステップＳ１７０９）、本フローチャートによる一連の処理を終了する。これにより、栽培対象の作物の作付け先として選択された圃場を、栽培対象の作物、目標販売時期および目標販売額と対応付けて登録することができる。
【０１６３】
以上説明したように、実施の形態にかかる栽培計画生成装置１００によれば、栽培対象の作物の生育期間に基づいて、指定された目標販売時期の収穫を可能とする作物の作付け時期を特定することができる。また、栽培計画生成装置１００によれば、栽培対象の作物の単価に基づいて、指定された目標販売額の収穫を可能とする作物の作付け量に関する指標を特定することができる。
【０１６４】
これにより、目標販売時期に目標販売額を得るための栽培対象の作物の作付け時期および作付け量に関する指標を提示することができ、目標販売時期に目標販売額を得るための作物の栽培計画の立案作業を支援することができる。
【０１６５】
また、栽培計画生成装置１００によれば、栽培対象の作物の品目および作型の組み合わせに応じた生育期間に基づいて、目標販売時期の収穫を可能とする作物の作付け時期を特定することができる。これにより、同一品目の作物であっても作型の違いにより大きく異なる場合がある生育期間を考慮して作物の作付け時期を特定することができる。
【０１６６】
また、栽培計画生成装置１００によれば、栽培対象の作物の単価に基づいて、目標販売額の収穫を可能とする作物の目標収穫量を特定することができる。これにより、目標販売時期に目標販売額を得るための栽培対象の作物の目標収穫量を提示することができる。
【０１６７】
また、栽培計画生成装置１００によれば、栽培対象の作物の反収と目標収穫量とに基づいて、目標販売額の収穫を可能とする作物の作付面積を特定することができる。これにより、目標販売時期に目標販売額を得るための栽培対象の作物の作付面積を提示することができる。
【０１６８】
また、栽培計画生成装置１００によれば、さらに、栽培対象の作物の歩留率に基づいて、目標販売額の収穫を可能とする作物の作付面積を特定することができる。これにより、目標販売時期に目標販売額を得るための作付面積として、栽培対象の作物の歩留まりを考慮した作付面積を提示することができる。
【０１６９】
また、栽培計画生成装置１００によれば、栽培対象の作物の品目および作型の組み合わせに応じた歩留率に基づいて、目標販売額の収穫を可能とする作物の作付面積を特定することができる。これにより、同一品目の作物であっても作型の違いにより大きく異なる場合がある歩留まりを考慮して作物の作付面積を特定することができる。
【０１７０】
また、栽培計画生成装置１００によれば、特定した作付面積を、単位面積当たりの作物の作付け量で除算することにより、目標収穫量の収穫を可能とする作物の作付け量を特定することができる。これにより、目標販売時期に目標販売額を得るための栽培対象の作物の作付け量を提示することができる。
【０１７１】
また、栽培計画生成装置１００によれば、栽培対象の作物の作付け先の圃場のリストを表示し、圃場のリストのうち、特定の圃場について栽培対象の作物の作付け量に関する指標に応じた作物の作付け先としての選択を受け付けることができる。また、栽培計画生成装置１００によれば、特定の圃場についての選択の受け付け後、圃場のリストのうち、特定の圃場を、さらに選択することを許容しつつ、かつ、栽培対象の作物の作付け先の圃場として未選択の他の圃場と異なる表示態様とすることができる。
【０１７２】
これにより、１つの圃場に対して、ある期間内に作物の栽培を複数回行える場合や、１つの圃場に対して、同一時期に複数の栽培を行う場合を想定して、１つの圃場について複数回の選択を許容しつつ、選択済みの圃場を識別可能に表示することができる。また、１つの圃場について複数回の選択を許容することで、限られた数の圃場を使ってできるだけ多くの収穫を得るための栽培計画を立案しやすくすることができる。
【０１７３】
また、栽培計画生成装置１００によれば、栽培対象の作物の作付け先として選択された圃場のサイズまたは選択された圃場に応じた作付け量を累積して得られる累積サイズまたは作付け量の表示を、作物の作付け先の圃場の選択に応じて更新することができる。
【０１７４】
これにより、目標販売時期に目標販売額の収穫を可能とする作物の作付面積や作付け量のうち、選択した圃場で確保できる作付面積や作付け量が把握可能となり、ひいては、さらに圃場を選択することで確保すべき残りの作付面積や作付け量を把握しやすくできる。
【０１７５】
これらのことから、栽培計画生成装置１００によれば、経営視点からブレイクダウンして作物の栽培計画を立案する際の作業効率を向上させることができ、ひいては、圃場単位の作物の生産計画を立案する作業を短手番化し、かつ、精度の高い販売計画を立てることが可能となる。
【０１７６】
なお、本実施の形態で説明した栽培計画生成方法は、予め用意されたプログラムをパーソナル・コンピュータやワークステーション等のコンピュータで実行することにより実現することができる。本栽培計画生成プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本栽培計画生成プログラムは、インターネット等のネットワークを介して配布してもよい。
【符号の説明】
【０１７７】
１００  栽培計画生成装置
２００  農業支援システム
２０１，２０１−１〜２０１−ｎ  クライアント装置
２２０  栽培計画ＤＢ
２３０  作物マスタ
７００  販売目標入力画面
８０１  受付部
８０２  特定部
８０３  表示制御部
８０４  算出部
９００  収穫目標画面
１０００  作付計画画面
１２００  圃場選択画面
【図１】
2015173875.tif 000003
【図２】
2015173875.tif 000004
【図３】
2015173875.tif 000005
【図４】
2015173875.tif 000006
【図５】
2015173875.tif 000007
【図６】
2015173875.tif 000008
【図７】
2015173875.tif 000009
【図８】
2015173875.tif 000010
【図９】
2015173875.tif 000011
【図１０】
2015173875.tif 000012
【図１１】
2015173875.tif 000013
【図１２】
2015173875.tif 000014
【図１３】
2015173875.tif 000015
【図１４】
2015173875.tif 000016
【図１５】
2015173875.tif 000017
【図１６】
2015173875.tif 000018
【図１７】
2015173875.tif 000019
【国際調査報告】
2015173875.tif 000020
2015173875.tif 000021
2015173875.tif 000022
2015173875.tif 000023